(57)【要約】【課題】シンク１０を調理台としてまたＩＨコンロ３として兼用できるようにすること。【解決手段】ＩＨコンロ３を備えた流し台１であって、ＩＨコンロ３を加熱部３０と加熱部３０の駆動を制御する制御部５０とに分割し、流し台１の上面に設けた凹状のシンク１０の開口部１１を覆う調理蓋１２Ａ，１２Ｂを流し台１に開閉自在に設置して、制御部５０を流し台１の内部に配置し、加熱部３０を蓋１２Ａ，１２Ｂの上面に配置したことを特徴とする。【選択図】図２
2008119032.tif 000002
【特許請求の範囲】
【請求項１】
電磁誘導加熱調理器を備えた流し台であって、
前記電磁誘導加熱調理器を加熱部と加熱部の駆動を制御する制御部とに分割し、
前記流し台の上面に設けた凹状のシンクの開口部を覆う蓋を前記流し台に開閉自在に設置して、
前記制御部を前記流し台の内部に配置し、
前記加熱部を前記蓋の上面に配置したことを特徴とする電磁誘導加熱調理器を備えた流し台。
【請求項２】
前記加熱部は、その上面に設けられ調理容器が載置されるトッププレートと、このトッププレートの下方に配置された誘導加熱コイルと、を有する請求項１記載の電磁誘導加熱調理器を備えた流し台。
【請求項３】
前記流し台の外壁に吸気口と排気口を設けるとともに、送風機を前記流し台の内部に配置し、
前記送風機により、前記吸気口から吸気した空気を前記制御部に送風して冷却し、この冷気を前記排気口から外部に排出して前記空気を循環させる制御部冷却手段を有する請求項１又は２に記載の電磁誘導加熱調理器を備えた流し台。
【請求項４】
前記流し台の上面にシンクを形成し、
シンクの開口部を覆う前記蓋を複数枚に分割するとともに、分割した蓋それぞれを前記流し台に着脱自在なユニット蓋として形成し、
前記シンクの開口部を覆う際に、前記加熱部を備えたユニット蓋と前記加熱部を備えていないユニット蓋とを組み合わせて配置する請求項１〜３の何れかに記載の電磁誘導加熱調理器を備えた流し台。
【請求項５】
前記流し台に前記シンクに給水可能な蛇口を設け、
前記蛇口は給水管が伸縮自在に形成されている請求項１〜４の何れかに記載の電磁誘導加熱調理器を備えた流し台。
【請求項６】
前記蛇口は、前記流し台の上面より突出しないように内側に配置されている請求項５に記載の電磁誘導加熱調理器を備えた流し台。
【発明の詳細な説明】
【技術分野】
【０００１】
本発明は、鍋等調理容器の底部に渦電流を生じさせ、当該調理容器を加熱する電磁誘導加熱調理器に関し、特に電磁誘導加熱調理器を備えた流し台に関する。
【背景技術】
【０００２】
近年の高齢化社会等の時代背景において、高齢者にとって住みやすい環境作りが推進されており、住宅設備においても新たな設備が提案されてきた。このような設備の中で電化住宅は、安全性、利便性、又は快適性を実現させるものとして注目され、利用されてきた。
【０００３】
この住宅設備において、キッチンは、流し台と、冷蔵庫、電子レンジ、炊飯器等の調理家電等で構成される調理空間である。そして、流し台は、シンク（流し）、コンロ、調理台で構成される。なお、流し台は、シンク、コンロ、調理台が一列に並んだＩ型キッチン、調理台を挟んでシンクとコンロがそれぞれ別の列側になるようにＬ型に並んだＬ型キッチン、流し台がダイニングキッチンの中心にあるアイランド型が知られている。
【０００４】
かかるキッチンで用いるコンロとしては、直火を使用しないため安全性が高く、特に高齢者にとって安全に使用できるＩＨコンロ：Induction Heatingコンロ（電磁誘導加熱調
理器）が普及してきている。この電磁誘導加熱調理器は、例えば鉄製の鍋等調理容器を載置するトッププレートの下方に誘導加熱コイルが配置されており、この誘導加熱コイルに電流を流して、誘導加熱コイル、トッププレート及び調理容器の底部に渦電流を生じさせて当該調理容器を加熱する調理器である。
【０００５】
従来、コンロの口数は、住宅全体の規模、流し台の規模、世帯人数によって、１〜３口設置されており、例えば、一般的な４人家族の世帯は、３口コンロの場合が多い。
【０００６】
近年、専業主婦の減少、中食産業や外食産業の普及などにより、自宅で本格調理を行う機会が減少傾向にある。また、電子レンジ加熱を前提とした中食や冷凍食品（すなわち電子レンジ）の使用機会が増加するとともに、湯沸かしには電気ポット、炊飯には電子ジャーなど、コンロ以外の専用の加熱調理器（調理家電）が普及してきている。
【０００７】
このように、キッチンにコンロを３口持っていても、日常的には２口あるいは１口しか使用しない場合も多く、コンロを用いて調理を行う機会が益々減少傾向にある。なお、流し台に対するコンロの占有面積は、作業幅の３０％程度を占める。その一方で、流し台にコンロ以外の調理家電を設置する必要が生じているが、７０平方メートル前後の住宅（あるいはマンション）では、流し台のスペースが限られており、コンロ以外の調理家電を設置する十分なスペースが確保できないといった問題がある。
【０００８】
しかし、従来のＩＨコンロは、特許文献１に示すように、流し台に組み込んで使用するので、ＩＨコンロを使用しない場合、キッチンスペースを有効に利用することができない。そこで、ＩＨコンロを持ち運び便利なポータブル（卓上）化を図ることも考えられるが、コンロを使用しない場合、複数の卓上ＩＨコンロをキッチンの何れかに設置しなければならず、問題の解決にはならない。
【特許文献１】特開２００５−２６８２０９号公報
【発明の開示】
【発明が解決しようとする課題】
【０００９】
本発明は、上記の事情に鑑みてなされたものであり、キッチンスペースを有効に利用することができる電磁誘導加熱調理器を備えた流し台を提供することを課題とする。
【課題を解決するための手段】
【００１０】
前記課題を解決するために、本発明は以下の手段を採用した。
本発明は、電磁誘導加熱調理器を備えた流し台であって、前記電磁誘導加熱調理器を加熱部と加熱部の駆動を制御する制御部とに分割し、前記流し台の上面に設けた凹状のシンクの開口部を覆う蓋を前記流し台に開閉自在に設置して、前記制御部を前記流し台の内部に配置し、前記加熱部を前記蓋の上面に配置したことを特徴とする。
【００１１】
このような構成によれば、コンロを使用する際には、加熱部を配置した蓋を閉じて、蓋の上に調理容器を載置し、制御部を用いて加熱部を駆動させることができる。なお、コンロを使用しない場合であっても、蓋の上面をまな板、作業台等として使用できる。一方、蓋を開けるとシンクが使用できるので、全体として台所の省スペース化が実現できる。
【００１２】
また、本発明の電磁誘導加熱調理器を備えた流し台において、前記加熱部は、前記加熱部の上面に配置され調理容器を載置するトッププレートと、このトッププレートの下方に配置された誘導加熱コイルと、を有することを特徴とする。この構成によれば、加熱部は、誘導加熱コイルだけを実装するので、従来の卓上型ＩＨコンロよりも薄く、物量感を軽減できる。また、加熱部裏面は、ヒートシンクなどによる、ファンを使わない自然冷却とすることもできる。
【００１３】
更に、本発明の電磁誘導加熱調理器を備えた流し台において、前記流し台の外壁に吸気口と排気口を設けるとともに送風機を前記流し台の内部に配置し、前記送風機により、前記吸気口から吸気した空気を前記制御部に送風して冷却し、この冷気を前記排気口から外部に排出して前記空気を循環させる制御部冷却手段を有することが好適である。
この構成によれば、流し台内に設置された制御部は、制御部冷却手段により冷却される。  
【００１４】
また、コンロスイッチング素子などの発熱の大きい回路部については、シンクの下方に配置してファン冷却が可能となる。また、送風機として１つの径の大きなシロッコファンを用い、一側から外気を吸い込み、上部に付随ダクトを設けたダクトでインバータ回路と誘導加熱コイルを同時に冷却し、その冷却風を他側から吹き出せる構成とすることもできる。これにより前方への冷却風吹き出しによる不快感を解消し、騒音も低減できる。
【００１５】
更に、本発明の電磁誘導加熱調理器を備えた流し台において、前記流し台の上面を凹状のシンクに形成し、このシンクの開口部を覆う前記蓋を複数枚に分割するとともに、分割した蓋それぞれを前記流し台に着脱自在なユニット蓋として形成し、前記シンクの開口部を覆う際に、前記加熱部を備えたユニット蓋と前記加熱部を備えていないユニット蓋とを組み合わせて配置することもできる。
【００１６】
この構成によれば、流し台上面のほぼ全面をシンクにすることができるとともに、シンクの開口部を覆うユニット蓋を利用者が自由に組み合わせて選択できる。すなわち、加熱部を備えたユニット蓋と、加熱部を備えておらず、調理台等として使用できるユニット蓋とを自由に選択・組み合わせて流し台上面をユニット構成することで、必要に応じてユニット蓋を開閉することで、流し台上面を作業スペースとするか、あるいは加熱スペースにするかを選択できる。
【００１７】
更に、本発明の電磁誘導加熱調理器を備えた流し台において、前記流し台に前記シンクに給水可能な蛇口を設け、前記蛇口は給水管が伸縮自在に形成されているように構成する
と、給水管を伸ばすことで流し台上のいずれの場所にも蛇口を移動でき、蛇口がコンロの上部に届き、コンロに鍋等を置いたまま給水が可能で、また、鍋等の洗浄することができる。
【００１８】
更に、本発明の電磁誘導加熱調理器を備えた流し台において、前記蛇口は、前記流し台の上面より突出しない内側に配置されているように構成すると、蓋を全閉することで、流し台の上面が完全にフラットなテーブルと化し、ダイニングルームとしても使用することができる。
【発明の効果】
【００１９】
本発明の電磁誘導加熱調理器を備えた流し台によれば、従来コンロが占めていた空間を省くことで、キッチンスペースの有効利用が可能となる。したがって、調理の際の作業スペースを広げることができ、かつ、コンロ以外の調理家電を設置するためのスペースをより大きく確保することができる。
【発明を実施するための最良の形態】
【００２０】
以下、本発明の実施の形態（以下、実施形態）を添付した図面を参照して説明する。
図１，２及び５に示すように、流し台１には、その上面に設けた凹状のシンク１０の開口部１１を覆う開閉自在のユニット蓋１２Ａ〜１２Ｄが、開口部１１の長手方向に並列されている。
【００２１】
いずれの蓋もシンク１０の後方に適宜の枢着手段（図示せず）を介して、開閉かつ着脱自在に取り付けられている。また、蓋１２Ａ及び１２Ｂには、ＩＨコンロ３を有する。
【００２２】
ＩＨコンロ３は、誘導加熱コイル３３を実装する加熱部３０と、誘導加熱コイル３３の駆動を制御する制御部５０とからなり（図２，３参照）、加熱部３０は、蓋１２Ａ及び１２Ｂを閉じた状態でその上面部に設置され、制御部５０は流し台１の内部に設置されている。よって、加熱部３０と制御部５０とが分割された状態で設置されているといえる。
【００２３】
なお、蓋１２Ａ及び１２Ｂにそれぞれ設置されているＩＨコンロ３は、様々な調理に適応できるように異なる出力定格を有するに過ぎず、構造は同じである。このため、蓋１２ＡのＩＨコンロ３についてのみ説明する。
【００２４】
加熱部３０は、図３に示すように、トッププレート３１と誘導加熱コイル３３と下面プレート３５等で構成される。
トッププレート３１は、結晶化ガラスを素材とし、円盤状に形成されている。また、トッププレート３１の上面には、加熱範囲枠線３４Ａが印刷されている。そして、トッププレート３１は、プレート枠３２によりその周囲が囲まれている。
【００２５】
また、プレート枠３２内のトッププレート３１の下には、誘導加熱コイル３３が配置されている。更に、誘導加熱コイル３３の下には下面プレート３５が配置されている。この下面プレート３５は、アルミ製であり、誘導加熱コイル３３による発熱を外部に拡散して放熱し易いように表面積が広くなる形状に整形したヒートシンク構造になっている。
【００２６】
制御部５０は、誘導加熱コイル３３を駆動制御する制御回路基板５１と、インバータ回路のスイッチング素子５２と、制御部５０を操作する操作部５６を備えている。この制御部５０は、流し台１の内部、特にシンク１０の下方に設置されている。
【００２７】
制御回路基板５１は、加熱用インバータ回路を樹脂製の制御回路基板ベースに固定したものである。
スイッチング素子５２は、制御回路基板５１に隣接して配設され、ヒートシンク（図示せず）に覆われている。ヒートシンクはアルミ材を押出成形によって形成したものである。
これら制御回路基板５１及びスイッチング素子５２は、誘導加熱コイル３３と電気的に接続されている。
【００２８】
操作部５６は、流し台１の前面に設置されている。操作部５６は、加熱部３０をそれぞれ操作するための図示しない操作パネルを有し、この操作パネルも制御回路基板５１及びスイッチング素子５２と電気的に接続されている。
【００２９】
冷却手段６０は、制御部５０、特に誘導加熱コイル３３を駆動する際に熱を発生するスイッチング素子５２を冷却するものである。冷却手段６０としては、流し台１の側面（外壁）に形成した図示しない吸気口・排気口の近傍に設けられ、かつ図示しない、送風ファンと、送風ファン駆動用モータと、これらが収納されるケーシングとを有するシロッコファンを挙げられる（図２参照）。
【００３０】
なお、図２では、冷却手段６０を制御部５０の上部に設置したものを示したが、冷却手段６０で制御部５０を冷却できればそれらの配置はこだわらない。例えば両者を対向位置に配置してもよいのは勿論である。
【００３１】
冷却手段６０により、制御回路基板５１及びスイッチング素子５２に向けて吹き付けられた冷却風は、流し台内部を循環し、排気口を経由して外部へ排出される。したがって流し台１は、吸気口から吸い込んだ冷気で制御部５０を冷却した後、制御部５０の熱を含んで昇温した循環空気を排気口から外部に排出する制御部冷却手段を有するといえる。なお図２では、空気の流れを太字破線矢印Ａで示してあるが、スペースの関係で循環経路を一部示したに過ぎない。実際は制御部５０を十分冷却できるように空気は循環する。
【００３２】
このようなＩＨコンロ３の加熱部３０を有する蓋１２Ａ及び蓋１２Ｂのことを、この明細書では調理蓋と称することにする。
【００３３】
また蓋１２Ｃは、調理蓋１２Ｂの隣に配置される。そして、蓋１２Ｃを閉蓋した時に蓋１２Ｃをまな板として使用することができるように、蓋１２Ｃの内部には、まな板用の板が埋設されている。よって、蓋１２Ｃをまな板蓋という。
そして、まな板蓋１２Ｃに隣接する蓋１２Ｄは、閉蓋時に調理台として機能するので調理台蓋という。
【００３４】
このように複数のユニット蓋１２Ａ〜１２Ｄが、シンク１０の開口１１に組み合わされて配列されている流し台１によれば、次のような作用効果を奏する。
ＩＨコンロ３を使用する際には、加熱部３０を配置した調理蓋１２Ａ及び１２Ｂのうちの少なくとも一方を閉じる。そして、それらの蓋のトッププレート３１上に鉄鍋等の調理容器１５を載置して、操作部５６を操作すると、制御部５０により加熱部３０を駆動し、調理容器１５の底部に渦電流を生じさせ、調理容器１５を加熱することができる。
【００３５】
なお、ＩＨコンロ３を使用しない場合であっても、調理蓋１２Ａ及び１２Ｂを閉じればそれらの上面にまな板その他の調理具を置いたり、又はその他の作業用の台として用いたりすることができる。一方、蓋１２Ａ及び１２Ｂを開ければ、シンク１０の開口部１１を利用することができるため、シンク本来の機能である流しとしての使用ができる。したがって、シンク１０を複数の用途に用いる場所として利用することができる。よって、流し台１は、多機能かつコンパクトであり、よって全体として台所の省スペース化に貢献することができる。
【００３６】
また、加熱部３０は、誘導加熱コイル３３だけが実装され、加熱部３０の駆動制御を行う制御部５０は、調理蓋１２Ａ及び１２Ｂには含まれていない。制御部５０は、流し台１の内部に配置されている。したがって、従来の卓上型ＩＨコンロ３よりも薄く、物量感を軽減できるので、調理蓋１２Ａ及び１２Ｂの開け閉めに力がいらない。
【００３７】
更に、流し台１内に設置された制御部５０は、冷却手段６０により冷却される。また、スイッチング素子５２などの発熱の大きい回路部については、シンク１０の下方に配置した状態での冷却が可能となる。
【００３８】
更に流し台１においては、シンク１０の開口部を覆う蓋１２Ａ〜１２Ｄが流し台１に着脱自在なユニット蓋として形成されているので、調理蓋１２Ａ〜１２Ｄを開けることで、流し台１の上面のほぼ全面をシンク１０にすることができるとともに、シンク１０の開口部を覆うこれらの蓋を利用者が自由に組み合わせて選択できる。
【００３９】
すなわち、加熱部３０を備えた調理蓋１２Ａ，１２Ｂと、加熱部３０を備えておらず、まな板として使用できるまな板蓋１２Ｃや調理台として使用できる調理蓋１２Ｄとを自由に選択・組み合わせて流し台１上面をユニット構成することができる。このようにすることで、流し台１の上面を作業スペースとするか、あるいは加熱スペースにするかを選択できる。
【００４０】
更に、調理蓋１２Ａ及び１２Ｂはこれらを閉蓋すれば、その上にまな板を置いたり、料理の準備を行う調理台として利用することができる。このときこれらの蓋上に磁力に反応する材料でできたまな板その他の金属物を置かなければ、誘導加熱コイル３３に通電されていても、まな板等に電流を生じない。
【００４１】
更にシンク１０の開口部１１は、調理蓋１２Ａ及び１２Ｂ以外に、閉蓋時にまな板としての機能を有するまな板蓋１２Ｃと、同じく閉蓋時に調理台としての機能を有する調理台蓋１２Ｄとを有するので、調理蓋１２Ａ及び１２Ｂで加熱を行いながら、まな板蓋１２Ｃや調理台蓋１２Ｄで他の作業を併せて行うことができる。このため、使い勝手がよい。
【００４２】
更に、カラン１３はホースが伸縮自在であるので、流し台１上のいずれの場所にも移動でき、カラン１３がＩＨコンロ３の上部に届き、ＩＨコンロ３に鍋等を置いたまま給水が可能で、また、鍋等の洗浄をすることができる。
【００４３】
更に、流し台１において、カラン１３を流し台１の上面より突出しない内側にすることも可能である。その場合、図５のように、蓋１２Ａ〜１２Ｄを全閉したときに、流し台１の上面が完全にフラットなテーブルと化し、ダイニングルームとしても使用できるのは勿論、すっきり感を生じるため見た目にもよい。
【００４４】
なお、本発明は上述の図示例にのみ限定されるものではなく、本発明の要旨を逸脱しない範囲内において種種変更を加え得ることは勿論である。
例えば、送風機として１つの径の大きなシロッコファンを用い、一側から外気を吸い込み、上部に付随ダクトを設けたダクトでインバータ回路と誘導加熱コイルを同時に冷却し、その冷却風を他側から吹き出せる構成とすることもできる。これにより前方への冷却風吹き出しによる不快感を解消し、騒音も低減できる。
また、加熱部が低出力であれば、ファンを使わない自然冷却であってもよい。
【図面の簡単な説明】
【００４５】
【図１】本発明に係る電磁誘導加熱調理器を備えた流し台の蓋が一部開いている状態を示す斜視図である。
【図２】図１のＩＩ−ＩＩ線断面図である。
【図３】蓋の拡大縦断面図である。
【図４】蓋の一部拡大平面図である。
【図５】本発明に係る電磁誘導加熱調理器を備えた流し台の蓋が総て閉じている状態を示す斜視図である。
【符号の説明】
【００４６】
１  流し台
３  コンロ(電磁誘導加熱調理器)
１０  シンク
１１  シンクの開口部
１２Ａ  調理蓋（ユニット蓋）
１２Ｂ  調理蓋（ユニット蓋）
１２Ｃ  まな板蓋（ユニット蓋）
１２Ｄ  調理台蓋（ユニット蓋）
１３  カラン（蛇口）
１５  調理容器
３０  加熱部
３１  トッププレート
３２  プレート枠
３３  誘導加熱コイル
３４Ａ  加熱範囲枠線
３５  下面プレート
５０  制御部
５１  制御回路基板
５２  スイッチング素子
５６  操作部
６０  冷却手段
Ａ  冷却風の移動経路の一例を示す矢印
【図１】
2008119032.tif 000003
【図２】
2008119032.tif 000004
【図３】
2008119032.tif 000005
【図４】
2008119032.tif 000006
【図５】
2008119032.tif 000007